(57)【要約】  【課題】  視聴を希望しないジャンルの番組を偶然にも視聴することを防止できる番組処理装置を提供する。  【解決手段】  ＨＤレコーダ１０の制御部１１は、予約管理データベース１９ａに登録してある予約情報に基づいてチューナ部１３から取得した番組データを記憶部２２に記憶した場合、記憶された番組データと共にチューナ部１３から取得したジャンル情報に対応して予めメモリ１８に設定されているジャンル情報に係る番組データのチューナ部１３からの取得を禁止する。制御部１１は、利用者による操作部１５の操作によって記憶部２２に記憶されている番組データを再生させた場合、再生させた番組データに係るジャンル情報に対応して取得が禁止されていたジャンル情報に係る番組データのチューナ部１３からの取得禁止を解除する。【選択図】      図１
2006013724.tif 000002
【特許請求の範囲】
【請求項１】
放送される番組の番組データ及び該番組の内容を示すジャンル情報を対応付けて取得する取得手段を備え、該取得手段が取得する番組データを処理する番組処理装置において、
所定のジャンル情報に基づいて、番組データの取得の禁止指示及び番組データの取得禁止の解除指示を受け付ける受付手段と、
該受付手段が受け付けた禁止指示に従って所定のジャンル情報に対応する番組データの取得を禁止する禁止手段と、
前記受付手段が受け付けた解除指示に従って、前記禁止手段による番組データの取得禁止を解除する解除手段と
を備えることを特徴とする番組処理装置。
【請求項２】
放送される番組の番組データ及び該番組の内容を示すジャンル情報を対応付けて取得する取得手段と、該取得手段が取得する番組データを記憶媒体に記憶する処理を行なう記憶処理手段と、前記記憶媒体に記憶されている番組データを再生する再生手段とを備える番組処理装置において、
前記再生手段による再生処理の実行を検知する再生検知手段と、
該再生検知手段が再生処理の実行を検知するまで、該再生処理に係る番組データに対応するジャンル情報に応じたジャンル情報に対応する番組データの取得を禁止する禁止手段と
を備えることを特徴とする番組処理装置。
【請求項３】
前記禁止手段は、前記記憶処理手段が番組データを記憶媒体に記憶したときから、記憶された番組データに対応するジャンル情報に応じたジャンル情報に対応する番組データの取得を禁止するようにしてあることを特徴とする請求項２に記載の番組処理装置。
【請求項４】
前記記憶媒体への番組データの記憶の予約を受け付ける予約受付手段を備え、
前記禁止手段は、前記予約受付手段が予約を受け付けたときから、受け付けた予約に係る番組データに対応するジャンル情報に応じたジャンル情報に対応する番組データの取得を禁止するようにしてあること
を特徴とする請求項２に記載の番組処理装置。
【請求項５】
前記取得手段による番組データの取得指示を受け付ける取得指示受付手段と、
該取得指示受付手段が受け付けた取得指示に係る番組データが、前記禁止手段によって取得を禁止されている番組データである場合に、前記取得指示に係る番組データが取得できない旨を通知する手段と
を備えることを特徴とする請求項１乃至４のいずれかひとつに記載の番組処理装置。
【請求項６】
前記記憶処理手段は、取得できない旨を通知された番組データを前記記憶媒体に記憶する処理を行なうようにしてあることを特徴とする請求項５に記載の番組処理装置。
【請求項７】
取得できない旨を通知された番組データの取得禁止の解除指示の入力を要求する手段と、
前記解除指示の入力を受け付ける手段と、
入力を受け付けた解除指示に従って前記番組データの取得禁止を解除する解除手段と
を備えることを特徴とする請求項５又は６に記載の番組処理装置。
【発明の詳細な説明】
【技術分野】
【０００１】
本発明は、放送される番組の番組データ及び該番組の内容を示すジャンル情報を取得し、取得した番組データを処理する番組処理装置に関する。特に、取得した番組データを記憶媒体に記憶する処理を行なう番組処理装置に関する。
【背景技術】
【０００２】
テレビジョン放送信号を受信するテレビジョン装置、受信したテレビジョン放送信号の番組データを記録媒体に記録し、必要に応じて接続されたテレビジョン装置で再生する記録再生装置等の各種電子機器が普及している。記録再生装置としては、記録媒体に磁気テープを用いるビデオカセットレコーダ（ＶＣＲ）、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクレコーダ等が実用化されている（例えば、特許文献１参照）。
【０００３】
ハードディスクレコーダは、大容量のハードディスク（以下、ＨＤという）に番組データを記録するため、例えば、２時間又は３時間という長時間の映画番組及びスポーツ中継等を、記録媒体における残りの記録容量を気にすることなく手軽に記録することができる。従って、利用者は好きなテレビ番組の番組データを一旦ＨＤに記録しておき、気に入ったテレビ番組のみを例えばＤＶＤに記録（転記）して残しておくことができる。
【特許文献１】特開２００４−８０５０７号公報
【発明の開示】
【発明が解決しようとする課題】
【０００４】
ここで、利用者が上述したハードディスクレコーダによる放送番組の記録を予約することにより、例えばスポーツ番組を外出中に記録しておいたとする。そして、利用者が帰宅した後にテレビジョン装置の電源を入れることにより、テレビジョン装置にニュース番組が表示された場合、記録しておいたスポーツ番組を再生させる前に、ニュース番組のスポーツコーナによってスポーツの結果を偶然にも知ってしまう場合がある。このように、記録しておいたスポーツ番組を見る前にスポーツの結果を知ってしまった場合、利用者はスポーツ番組を見る気が失せてしまい、スポーツ番組の記録処理が無駄になってしまうおそれがある。
【０００５】
本発明は斯かる事情に鑑みてなされたものであり、その目的は、予め設定されたジャンル情報に対応する番組データの取得を禁止し、希望しないジャンルの番組を偶然にも視聴することを防止することが可能な番組処理装置を提供することにある。
【０００６】
本発明の他の目的は、取得した番組データを記憶媒体（記録媒体）に記憶（記録）した場合に、記憶された番組データに対応するジャンル情報に応じて予め設定されたジャンル情報に対応する番組データの取得を禁止することにより、記憶された番組データの再生が終了するまでの間において、希望しないジャンルの番組の視聴を防止することが可能な番組処理装置を提供することにある。
【０００７】
また、本発明の他の目的は、番組データの取得指示を受け付けた場合に、受け付けた取得指示に係る番組データが取得を禁止されている番組データであるときには、取得指示された番組データを取得できない旨を通知することが可能な番組処理装置を提供することにある。
【０００８】
また、本発明の他の目的は、受け付けた取得指示に係る番組データが取得を禁止されている番組データである場合に、この番組データを記憶媒体に記憶しておくことが可能な番組処理装置を提供することにある。
【０００９】
更に、本発明の他の目的は、取得が禁止されている番組データであっても、利用者によって取得禁止の解除指示がなされた場合には、対応するジャンル情報に係る番組データの取得禁止を解除することが可能な番組処理装置を提供することにある。
【課題を解決するための手段】
【００１０】
本発明に係る番組処理装置は、放送される番組の番組データ及び該番組の内容を示すジャンル情報を対応付けて取得する取得手段を備え、該取得手段が取得する番組データを処理する番組処理装置において、所定のジャンル情報に基づいて、番組データの取得の禁止指示及び番組データの取得禁止の解除指示を受け付ける受付手段と、該受付手段が受け付けた禁止指示に従って所定のジャンル情報に対応する番組データの取得を禁止する禁止手段と、前記受付手段が受け付けた解除指示に従って、前記禁止手段による番組データの取得禁止を解除する解除手段とを備えることを特徴とする。
【００１１】
本発明によれば、所定のジャンル情報に基づいて番組データの取得の禁止指示を受け付けた場合に、受け付けた禁止指示に従って所定のジャンル情報に対応する番組データの取得を禁止する。また、取得が禁止されている番組データの取得禁止の解除指示を受け付けた場合に、受け付けた解除指示に従って、禁止されているジャンル情報に対応する番組データの取得禁止を解除する。従って、利用者によって設定された所定のジャンル情報に対応する番組データの取得を禁止し、禁止する必要がなくなったジャンル情報に対応する番組データの取得禁止を解除することが可能である。
【００１２】
本発明に係る番組処理装置は、放送される番組の番組データ及び該番組の内容を示すジャンル情報を対応付けて取得する取得手段と、該取得手段が取得する番組データを記憶媒体に記憶する処理を行なう記憶処理手段と、前記記憶媒体に記憶されている番組データを再生する再生手段とを備える番組処理装置において、前記再生手段による再生処理の実行を検知する再生検知手段と、該再生検知手段が再生処理の実行を検知するまで、該再生処理に係る番組データに対応するジャンル情報に応じたジャンル情報に対応する番組データの取得を禁止する禁止手段とを備えることを特徴とする。
【００１３】
本発明によれば、放送される番組の番組データ及び該番組の内容を示すジャンル情報を対応付けて取得し、取得した番組データを記憶媒体に記憶させる番組処理装置において、前記記憶媒体に記憶されている番組データの再生処理の実行が検知されるまで、前記番組データに対応するジャンル情報に応じて予め設定されたジャンル情報に対応する番組データの取得を禁止する。よって、記憶媒体に記憶されている番組データに対応するジャンル情報に基づいて設定されたジャンルの番組データの取得を禁止することが可能となる。
【００１４】
本発明に係る番組処理装置は、前記禁止手段は、前記記憶処理手段が番組データを記憶媒体に記憶したときから、記憶された番組データに対応するジャンル情報に応じたジャンル情報に対応する番組データの取得を禁止するようにしてあることを特徴とする。
【００１５】
本発明によれば、番組データが記憶媒体に記憶されたときから、記憶された番組データの再生処理が実行されるまで、前記番組データに係るジャンル情報に対応して設定されたジャンル情報に係る番組データの取得を禁止する。よって、記憶媒体に番組データが記憶されたときに、記憶された番組データに対応するジャンル情報に基づいて設定されたジャンルの番組データの取得を禁止することが可能となる。
【００１６】
本発明に係る番組処理装置は、前記記憶媒体への番組データの記憶の予約を受け付ける予約受付手段を備え、前記禁止手段は、前記予約受付手段が予約を受け付けたときから、受け付けた予約に係る番組データに対応するジャンル情報に応じたジャンル情報に対応する番組データの取得を禁止するようにしてあることを特徴とする。
【００１７】
本発明によれば、記憶媒体への番組データの記憶の予約を受け付けたときから、受け付けた予約に係る番組データに対応するジャンル情報に応じたジャンル情報に対応する番組データの取得を禁止する。よって、前記予約を受け付けたときから、該予約に基づいて記憶媒体に記憶された番組データが再生処理されるまで、前記番組データに対応するジャンル情報に基づいて設定されたジャンルの番組データの取得を禁止することが可能となる。
【００１８】
本発明に係る番組処理装置は、前記取得手段による番組データの取得指示を受け付ける取得指示受付手段と、該取得指示受付手段が受け付けた取得指示に係る番組データが、前記禁止手段によって取得を禁止されている番組データである場合に、前記取得指示に係る番組データが取得できない旨を通知する手段とを備えることを特徴とする。
【００１９】
本発明によれば、番組データの取得指示を受け付けた場合に、受け付けた取得指示に係る番組データが、取得を禁止されている番組データであれば、前記番組データが取得できない旨を通知する。よって、利用者により取得が指示された番組データは、取得が禁止されている番組データであることを利用者へ通知することが可能となる。
【００２０】
本発明に係る番組処理装置は、前記記憶処理手段は、取得できない旨を通知された番組データを前記記憶媒体に記憶する処理を行なうようにしてあることを特徴とする。
【００２１】
本発明によれば、番組データの取得指示を受け付け、受け付けた取得指示に係る番組データが取得を禁止されている番組データである場合に、この番組データを記憶媒体に記憶することにより、取得指示を受け付けた時点では取得が禁止されている番組データを後日に再生させて視聴することが可能となる。
【００２２】
本発明に係る番組処理装置は、取得できない旨を通知された番組データの取得禁止の解除指示の入力を要求する手段と、前記解除指示の入力を受け付ける手段と、入力を受け付けた解除指示に従って前記番組データの取得禁止を解除する解除手段とを備えることを特徴とする。
【００２３】
本発明によれば、取得できない旨を通知された番組データの取得禁止の解除指示の入力を要求し、前記解除指示の入力を受け付けた場合、入力を受け付けた解除指示に従って前記番組データの取得禁止を解除する。よって、利用者の判断によって取得が禁止されている番組データを取得することが可能となる。
【発明の効果】
【００２４】
本発明では、利用者による設定によって、所定のジャンル情報に基づいて受け付けた番組データの取得の禁止指示に従って所定のジャンル情報に対応する番組データの取得を禁止し、取得が禁止されている番組データの取得禁止の解除指示に従って、禁止されているジャンル情報に対応する番組データの取得禁止を解除する。これにより、利用者が所望するジャンルの番組データの取得を禁止し、視聴を希望しないジャンルの番組の視聴を確実に防止することができると共に、禁止する必要がなくなったジャンルについては番組データの取得禁止を解除することができる。
【００２５】
本発明では、放送される番組の番組データ及び該番組の内容を示すジャンル情報を対応付けて取得し、取得した番組データを記憶媒体に記憶させる番組処理装置が、前記記憶媒体に記憶されている番組データを再生するまで、前記番組データに係るジャンル情報に基づいて対応するジャンル情報に係る番組データの取得を禁止する。これにより、記憶媒体に記憶してある番組データのジャンルに対応して予め設定されたジャンルの番組データの取得を禁止することができる。
【００２６】
本発明では、番組データが記憶媒体に記憶されたときから、記憶された番組データの再生処理が実行されるまで、前記番組データに対応するジャンル情報に応じたジャンル情報に対応する番組データの取得を禁止する。従って、記憶媒体に番組データが記憶されたときに、記憶された番組データに対応するジャンル情報に基づいて予め設定されたジャンルの番組データの取得の禁止を開始することができる。
【００２７】
本発明では、記憶媒体への番組データの記憶の予約を受け付けたときから、該予約に基づいて記憶媒体に記憶された番組データが再生処理されるまで、前記予約に係る番組データに対応するジャンル情報に応じたジャンル情報に対応する番組データの取得を禁止する。従って、番組データの記憶の予約を受け付けたときに、前記予約に係る番組データに対応するジャンル情報に基づいて予め設定されたジャンルの番組データの取得を禁止することができる。これにより、例えば利用者による予約に基づいて利用者の外出中に番組データが記憶媒体に記憶された場合に、記憶された番組データのジャンルに対応して番組データの取得が禁止されたジャンルについて、利用者の帰宅後における視聴を制限することができる。
【００２８】
本発明では、番組データの取得指示を受け付けた場合に、受け付けた取得指示に係る番組データが、取得を禁止されている番組データであれば、前記番組データが取得できない旨を通知することにより、利用者により取得が指示された番組データは、取得が禁止されている番組データであることを利用者へ通知することができる。
【００２９】
本発明では、番組データの取得指示を受け付け、受け付けた取得指示に係る番組データが取得を禁止されている番組データである場合に、この番組データを記憶媒体に記憶する。これにより、取得指示を受け付けた時点では取得が禁止されている番組データを後日に再生させて視聴し、取得が禁止されていた番組データの内容を確認することができる。
【００３０】
本発明では、取得できない旨を通知された番組データの取得禁止の解除指示の入力を要求し、前記解除指示の入力を受け付けた場合、入力を受け付けた解除指示に従って前記番組データの取得禁止を解除することにより、取得が禁止されている番組データであっても利用者の判断によって視聴することができる。
【発明を実施するための最良の形態】
【００３１】
以下に、本発明をその実施形態を示す図面に基づいて詳述する。図１は本発明に係る番組処理装置としてのハードディスクレコーダ（以下、ＨＤレコーダという）の構成例を示すブロック図である。図１において破線はテレビジョン放送に係る番組信号・番組データの流れを示している。
【００３２】
本実施形態のＨＤレコーダ１０は、ＣＰＵで構成された制御部１１を備えている。制御部１１はシステムバス１２を介して、チューナ部１３，選択部１４，操作部１５，表示部１６，日時管理部１７，メモリ１８，予約管理部１９，記憶処理部２０，再生処理部２１，記憶部２２，出力部２３などと接続され、これら各部を制御して、内蔵するＲＯＭに格納された制御プログラムに従って種々の機能を実行する。例えば、ＨＤレコーダ１０は、外部から入力した番組信号（映像信号）を所定形式（例えばＭＰＥＧ形式）の番組データ（映像データ）にエンコードする機能、エンコードした番組データを記憶する機能、記憶している番組データを番組信号にデコードする機能などを有している。
【００３３】
チューナ部（取得手段）１３は、例えば放送中継基地８０の方向に向けて配置されたデジタルアンテナ（以下、アンテナという）５０に接続されており、利用者により選択された放送チャンネルに応じてデジタルアンテナ５０で受信した電波を検波してデジタルの番組信号を受信する。また、チューナ部１３は、デジタルの番組信号と共にこの番組信号に係る放送番組のジャンルを示すジャンル情報も取得し、選択部１４へ入力する。
【００３４】
選択部１４は、上述したチューナ部１３及び外部入力部２４に接続されている。外部入力部（取得手段）２４には、例えばビデオ、ＤＶＤなどの再生機器又は外部チューナ（以下、代表して外部チューナ６０という）が接続され、外部チューナ６０が出力した番組信号を選択部１４へ入力する。選択部１４は、チューナ部１３又は外部入力部２４から入力された番組信号のうちの一方を選択する機能を有し、選択した番組信号を記憶処理部２０又は出力部２３へ入力する。
【００３５】
操作部１５は、ＨＤレコーダ１０を利用者が操作するために必要な各種のファンクションキーを備えており、利用者により各キーが操作された場合、操作されたキーに対応した制御信号を制御部１１へ送出し、制御部１１は取得した制御信号に対応した処理を実行する。具体的に操作部１５には、ＨＤレコーダ１０による番組データの記憶を開始する録画ボタン、ＨＤレコーダ１０に記憶してある番組データの再生を開始する再生ボタン、ＨＤレコーダ１０による記憶処理・再生処理を終了する終了ボタン、ＨＤレコーダ１０による番組データの記憶予約の際に放送チャネル、開始日時及び終了日時の入力を受け付けるためのテンキー、十字キー、決定キー及びクリアキーなどが設けられている。
【００３６】
表示部１６は、液晶モニタ又はＬＥＤモニタなどの表示デバイスで構成されており、ＨＤレコーダ１０の動作状態の表示、利用者へ操作入力を促す画面の表示などを行う。なお、オン・スクリーン・ディスプレイ（ＯＳＤ）に係るメニュー画像を表示機器７０に表示してＨＤレコーダ１０を操作するようにしてもよいし、表示部１６をタッチパネル方式とすることにより、操作部１５の各種のファンクションキーのうちの一部又は全部を代用することも可能である。
【００３７】
日時管理部１７は、具体的にはタイマーであり、要求に応じて現在日時を制御部１１又は記憶処理部２０などへ通知する機能を有し、主としてタイマー予約（以下、予約という）による番組データの記憶に利用される。
【００３８】
予約管理部１９は、図２（ａ）に示す予約管理データベース１９ａを有しており、予約管理データベース１９ａには、予約された番組データの記憶処理毎に、予約を識別するための予約番号、放送チャネル、記憶開始の日時を示す開始日時、記憶終了の日時を示す終了日時等を含む予約情報が登録されている。この予約管理データベース１９ａは、利用者による操作部１５の操作によって、制御部（予約受付手段）１１が番組データの記憶の予約を受け付ける都度、制御部１１によって更新される。なお、予約する番組データとしては、チューナ部１３が出力する番組信号に係る番組データのみならず、外部入力部２４から入力される外部チューナ６０が出力した番組信号に係る番組データであってもよく、その場合には、予約管理データベース１９ａの”チャネル”欄に、例えば”外部入力”として登録すればよい。
【００３９】
記憶処理部（記憶処理手段）２０は、エンコーダを有しており、選択部１４から入力された番組信号をエンコーダにより所定形式の番組データに符号化圧縮して記憶部（記憶媒体）２２へ出力する。エンコード形式としては、例えばＭＰＥＧ形式、ＤＶ圧縮形式、モーションＪＰＥＧ形式などであり、その映像圧縮規格については限定されるものではないが、以下、現在広く利用されているＭＰＥＧ形式であるとして説明する。もちろん、チューナ部１３にて取得した番組信号、外部入力部２４から入力された番組信号又は映像信号がＭＰＥＧ形式である場合には、エンコーダをスルーさせることは言うまでもない。
【００４０】
記憶部２２は、具体的にはハードディスクであり、記憶処理部２０及び再生処理部２１に接続されている。記憶部２２は、記憶処理部２０により符号化圧縮された番組データをそれぞれファイル単位で記憶する機能を有する。また、記憶部２２は、図２（ｂ）に示す記憶管理データベース２２ａを記憶しており、記憶管理データベース２２ａには、記憶された番組データ毎に、再生処理が行なわれたか否かを示す再生状態、記憶した番組データと共に受信したジャンル情報が示すジャンル、記憶した番組データを放送したチャネル、記憶開始日時、記憶終了日時、及びハードディスクにおける記憶領域等を含む記憶情報が登録されている。
【００４１】
この記憶管理データベース２２ａは、予約管理部１９が管理する予約情報に基づいてチューナ部１３又は外部入力部２４が取得し、制御部１１の制御に従って記憶処理部２０から入力される番組データが記憶部２２に記憶される都度、制御部１１によって更新される。なお、記憶する番組データとしては、チューナ部１３が出力する番組信号に係る番組データのみならず、外部入力部２４から入力される外部チューナ６０が出力した番組信号に係る番組データ又は映像信号に係る映像データであってもよく、その場合には、予約管理データベース１９ａと同様に、記憶管理データベース２２ａの”チャネル”欄に、例えば”外部入力”として登録すればよい。
【００４２】
再生処理部（再生手段）２１は、デコーダを有しており、記憶部２２に記憶されているＭＰＥＧ形式の番組データを読出してデコーダにより番組信号に復号化伸張し、伸張したデジタルの番組信号を出力部２３へ出力する。なお、記憶部２２は、ランダムアクセスが可能であるため、記憶処理部２０と再生処理部２１とは、それぞれ独立して記憶部２２にアクセスし、番組データの記憶処理と再生処理とを行うことができる。また、再生処理部２１による再生処理が終了した場合、制御部１１は、記憶管理データベース２２ａの対応する番組データの再生状態の欄を「済」に更新する。
【００４３】
出力部２３は、映像ケーブル及び音声ケーブルを介して、液晶ディスプレイ又はＣＲＴディスプレイなどの表示機器７０に接続されており、選択部１４又は再生処理部２１から入力された番組信号を表示機器７０へ出力し、番組信号に係る番組データを表示機器７０に表示させる。また、出力部２３は、制御部１１からの指示に従ってＯＳＤに係るメニュー画像を表示機器７０へ出力し、各種メニュー画像を表示機器７０に表示させる。
【００４４】
上述した構成のＨＤレコーダ１０においては、予約管理部１９が管理する予約情報に基づいて記憶処理部２０が記憶部２２に番組データを記憶させた場合に、この番組データの再生処理が終了するまでの間、所定のジャンルの番組データをチューナ部１３又は外部チューナ６０から取得することを禁止する。なお、以下の説明では、番組データの取得が禁止されていることを「表示ロックが設定されている」と表現する場合がある。また、番組データのジャンルとしては、映画、スポーツ、音楽、ドラマ、アニメ、エンターテイメント、ニュース等があり、それぞれのジャンルを示す場合、「映画番組」「スポーツ番組」「音楽番組」「ドラマ番組」「アニメ番組」「エンターテイメント番組」「ニュース番組」とそれぞれ記載する。
【００４５】
具体的には、スポーツ番組の番組データが記憶部２２に記憶された場合に、記憶されたスポーツ番組の番組データが再生されるまでの間に、例えばニュース番組の番組データの取得を禁止するように設定することができる。このように、ニュース番組の取得が禁止されている状態で、利用者がニュース番組の視聴を要求した場合、要求されたニュース番組は表示ロックが設定されているため、視聴することができない旨を示すメッセージを表示部１６又は表示機器７０に表示させる。
【００４６】
このような表示ロックの設定は、表示機器７０に表示されるＯＳＤに係るメニュー画像に基づいて行なうことができる。利用者は、表示ロックの設定を行ないたい場合、操作部１５の所定の操作ボタンを操作し、図３（ａ）に示す表示ロック設定画面を表示機器７０に表示させる。図３（ａ）に示す表示ロック設定画面は、録画番組のジャンルと表示ロックするジャンルとを選択できるように構成されており、それぞれのジャンルとして、映画、スポーツ、音楽、ドラマ、アニメ、エンターテイメント及びニュースを表示する。利用者は、録画番組のジャンル及び表示ロックするジャンルとしてそれぞれ１つのジャンルを、上下キーを用いて選択し、決定キーを操作することにより選択したジャンルを決定する。
【００４７】
図３（ａ）においては、録画番組のジャンルとして「スポーツ」が選択され、表示ロックするジャンルとして「ニュース」が選択されている。ここで、利用者により決定キーが操作された場合、制御部１１は、図３（ｂ）に示すように、録画番組のジャンルに対応して表示ロックを設定するジャンル（ジャンル情報）をメモリ１８に記憶させる。
【００４８】
制御部１１は、スポーツ番組が記憶部２２に記憶された場合に、記憶されたスポーツ番組が再生処理部２１によって再生されたか否かを検知する再生検知手段として動作し、スポーツ番組の再生を検知するまで、ニュース番組の視聴を禁止する禁止手段として動作する。従って、例えばサッカーの試合（スポーツ番組）を記憶した場合に、記憶したサッカーの試合を見る前にニュース番組のスポーツコーナによってサッカーの試合結果を知るおそれがなく、記憶した番組を確実に見ることによりサッカーの試合の記憶処理が無駄にならない。なお、制御部１１は、番組データを記憶部２２に記憶することにより表示ロックを設定した場合、表示ロックが設定されたジャンルを示すジャンル情報をメモリ１８に記憶する。
【００４９】
一方、上述したように記憶部２２に記憶された番組データを再生する場合または確認する場合、利用者は、操作部１５の所定の操作ボタンを操作し、図４（ａ）に示すような録画リストを表示機器７０に表示させる。操作部１５の所定の操作ボタンを操作されたＨＤレコーダ１０において、制御部１１は、記憶管理データベース２２ａの登録内容に基づいて、記憶部２２に記憶してある各番組データの記憶情報を表示したメニュー画像を作成し、図４（ａ）に示す録画リストを表示機器７０に表示させる。
【００５０】
図４（ａ）に示す録画リストは、記憶部２２に記憶してある各番組データについて、再生されたか否かを示す再生状態、ジャンル、放送チャネル、記憶開始日時、及び記憶終了日時を表示する。利用者は、操作部１５の上下キーを操作することにより、録画リスト中の所望の番組データを選択することができ、再生ボタンを操作することにより、選択された番組データを再生させることができる。
【００５１】
制御部１１は、利用者からの要求に従って記憶部２２に記憶してある番組データを再生させた場合、再生処理の終了後に再生させた番組データのジャンルと同一のジャンルで記憶部２２に記憶してある全ての番組データの再生が終了したか否かを記憶管理データベース２２ａに基づいて判断する。具体的には、例えば記憶部２２に記憶してあるスポーツ番組の番組データを再生させた場合、スポーツ番組の番組データで、再生処理がまだの番組データがあるか否かを記憶管理データベース２２ａにより判断する。
【００５２】
ここで、制御部１１は、スポーツ番組の全ての番組データが再生されたと判断した場合、スポーツ番組に対応して表示ロックが設定されていたニュース番組の番組データの取得の禁止を解除し、表示ロックが設定されているジャンルとしてメモリ１８に記憶していたニュース番組を消去する。なお、利用者により再生処理が行なわれた番組データについては記憶管理データベース２２ａ中の再生状態欄に「済」が記憶されており、この再生状態欄を参照することにより、各番組データの再生処理が終了しているか否かを判断することができる。
【００５３】
上述のように、利用者による要求に従って、記憶部２２への番組データの記憶処理及び記憶部２２からの番組データの再生処理を行なうＨＤレコーダ１０において、利用者が操作部１５の所定の操作ボタンを操作することによりテレビ番組の視聴を要求した場合、制御部１１は、番組データの取得指示を受け付ける取得指示受付手段として動作し、受け付けた取得指示に基づいてチューナ部１３又は外部入力部２４から取得する番組データのジャンルが表示ロックを設定されているジャンルであるか否かを判断する。
【００５４】
ここで、表示ロックを設定されているジャンルである場合には、図４（ｂ）に示すような通知画面によって、要求された番組データのジャンルは表示ロックが設定されているため視聴することができない旨を通知し、表示ロックを解除するか否かの選択を指示する。図４（ｂ）において、「解除する」が選択された場合、制御部１１は、ニュース番組に設定されている表示ロックを解除する解除手段として動作し、ニュース番組の視聴を可能とする。
【００５５】
一方、利用者により「解除しない」が選択された場合、制御部１１からの制御により、利用者により視聴を要求された番組データをチューナ部１３又は外部入力部２４が取得し、取得した番組データを記憶処理部２０が記憶部２２へ記憶させる。また、記憶処理部２０は、番組データの記憶部２２への記憶処理が終了した場合、この記憶処理に係る記憶情報を記憶管理データベース２２ａに登録する。なお、このように、表示ロックが設定されているために視聴できなかった番組データを一旦記憶部２２に記憶させておくことにより、後に番組データを視聴することができる。また、このように記憶された番組データにおける記憶情報に、表示ロックが設定されていたことを示す情報を付加して記憶管理データベース２２ａに登録しておくことにより、利用者は通常の記憶処理とは異なる記憶処理であることを容易に把握することができる。
【００５６】
以下に、上述した構成のＨＤレコーダ１０による番組データの記憶処理について説明する。図５は本発明に係るＨＤレコーダ１０による番組データの記憶処理の手順を示すフローチャートである。なお、処理手順は一例でありこれに限るものではない。また、以下の処理は、制御部１１に内蔵されたＲＯＭに予め格納してある制御プログラムに従って制御部１１が実行する。
【００５７】
ＨＤレコーダ１０において、制御部１１は、利用者による操作部１５の操作により、記憶部２２への番組データの記憶の予約情報を受け付けたか否かを判断しており（Ｓ１）、予約情報を受け付けていないと判断した場合（Ｓ１：ＮＯ）、ステップＳ３へ処理を移行する。制御部１１は、予約情報を受け付けたと判断した場合（Ｓ１：ＹＥＳ）、即ち、予約された記憶処理の番組データの放送チャネル、記憶開始日時及び記憶終了日時の入力を受け付けた場合、受け付けた予約情報を予約管理部１９の予約管理データベース１９ａに登録する（Ｓ２）。
【００５８】
制御部１１は、記憶処理部２０により所定周期毎に予約管理部１９にアクセスし、予約管理データベース１９ａに登録されている各予約情報の開始日時及び終了日時を抽出する（Ｓ３）。また、制御部１１は、記憶処理部２０により日時管理部１７に現在日時の要求を行なって現在日時を取得しており（Ｓ４）、現在日時がステップＳ３で抽出した開始日時に至ったか否かを判断し（Ｓ５）、現在日時が開始日時に至らないと判断した場合（Ｓ５：ＮＯ）、ステップＳ１へ処理を移行し、上述した処理を繰り返す。
【００５９】
制御部１１は、現在日時が開始日時に至ったと判断した場合（Ｓ５：ＹＥＳ）、開始する記憶処理の予約情報に対応するチャネルの番組信号を選択するようチューナ部１３に指示するとともに、選択部１４に対してチューナ部１３から入力された番組信号を選択するように指示し、入力された番組信号を番組データに符号化処理して記憶部２２に順次記憶させる（Ｓ６）。
【００６０】
また、制御部１１は、記憶処理部２０により日時管理部１７から現在日時を取得し、取得した現在日時が、ステップＳ３で抽出した終了日時に至ったか否かを判断し（Ｓ７）、現在日時が終了日時に至っていないと判断した場合（Ｓ７：ＮＯ）、処理をステップＳ６に戻して番組データの記憶を続行する。制御部１１は、現在日時が終了日時に至ったと判断した場合（Ｓ７：ＹＥＳ）、記憶処理部２０による番組データの記憶を終了し（Ｓ８）、終了させた記憶処理についての記憶情報を記憶管理データベース２２ａに登録する（Ｓ９）。なお、記憶管理データベース２２ａには、予約管理データベース１９ａに登録されていた予約情報に基づく記憶情報と共に、チューナ部１３から受信したジャンル情報が示すジャンルが登録される。
【００６１】
制御部１１は、記憶された番組データのジャンルに対応して表示ロックが設定されているジャンルがあるか否かをメモリ１８に記憶してあるジャンル情報に基づいて判断し（Ｓ１０）、表示ロックが設定されているジャンルがないと判断した場合（Ｓ１０：ＮＯ）、ステップＳ１へ処理を移行する。また、表示ロックが設定されているジャンルがあると判断した場合（Ｓ１０：ＹＥＳ）、対応するジャンルを表示ロックに設定し（Ｓ１１）、このジャンルを示すジャンル情報をメモリ１８に記憶させる。
【００６２】
このように、予約された記憶処理に基づき記憶部２２に記憶された番組データのジャンルに対応して表示ロックが設定されていたジャンルの番組データの取得を禁止することにより、例えば、記憶したサッカーの試合を見る前にニュース番組のスポーツコーナによって試合結果を知ることを防止することができる。また、連続ドラマにおいて、前回放送分の番組データを記憶しており、まだ再生していない場合に今回放送分の番組データの視聴を禁止することにより、前回放送分の番組データが未再生であることを利用者へ通知できると共に、所定の順序で連続ドラマを視聴することが可能となる。
【００６３】
以下に、上述したように記憶部２２に記憶された番組データの再生処理について説明する。図６は本発明に係るＨＤレコーダ１０による番組データの再生処理の手順を示すフローチャートである。なお、処理手順は一例でありこれに限るものではない。また、以下の処理は、制御部１１に内蔵されたＲＯＭに予め格納してある制御プログラムに従って制御部１１が実行する。
【００６４】
ＨＤレコーダ１０において、制御部１１は、利用者による操作部１５の操作により、記憶部２２に記憶された番組データの再生指示を受け付けたか否かを判断しており（Ｓ２１）、再生指示を受け付けていないと判断した場合（Ｓ２１：ＮＯ）、再生指示を受け付けるまで待機する。制御部１１は、再生指示を受け付けたと判断した場合（Ｓ２１：ＹＥＳ）、対応する番組データを記憶部２２から読み出し（Ｓ２２）、再生処理部２１によって所定の処理を実行した後、出力部２３を介して表示機器７０で再生する（Ｓ２３）。
【００６５】
制御部１１は、番組データの再生が終了した場合に、再生された番組データの再生状態を「済」として記憶管理データベース２２ａを更新し（Ｓ２４）、再生された番組データのジャンルに対応して表示ロックが設定されたジャンルがあるか否かをメモリ１８に記憶してある情報に基づいて判断し（Ｓ２５）、表示ロックが設定されたジャンルがないと判断した場合（Ｓ２５：ＮＯ）、処理を終了する。
【００６６】
制御部１１は、表示ロックが設定されたジャンルがあると判断した場合（Ｓ２５：ＹＥＳ）、ステップＳ２３で再生した番組データと同一のジャンルの全ての番組データの再生処理が終了したか否かを記憶管理データベース２２ａに基づいて判断し（Ｓ２６）、全ての番組データの再生処理が終了したと判断した場合（Ｓ２６：ＹＥＳ）、ステップＳ２３で再生した番組データのジャンルに対応して表示ロックが設定されているジャンルの表示ロックを解除する（Ｓ２７）。なお、全ての番組データの再生処理が終了していないと判断した場合（Ｓ２６：ＮＯ）、制御部１１はステップＳ２１へ処理を移行し、ステップＳ２１〜Ｓ２６処理を繰り返す。
【００６７】
このように、記憶部２２に記憶しておいた番組データを再生することにより、視聴を禁止する必要がなくなったジャンルの番組データの表示ロックを解除することができ、必要に応じて表示ロックの設定及び解除を行なうことができる。
【００６８】
以下に、本発明のＨＤレコーダ１０のチューナ部１３が取得する番組データを表示機器７０で視聴する場合の処理について説明する。図７は本発明に係るＨＤレコーダ１０による放送番組の視聴処理の手順を示すフローチャートである。なお、処理手順は一例でありこれに限るものではない。また、以下の処理は、制御部１１に内蔵されたＲＯＭに予め格納してある制御プログラムに従って制御部１１が実行する。
【００６９】
ＨＤレコーダ１０において、制御部１１は、利用者による操作部１５の操作により、チューナ部１３又は外部入力部２４によって取得される番組データの視聴指示を受け付けたか否かを判断しており（Ｓ３１）、視聴指示を受け付けていないと判断した場合（Ｓ３１：ＮＯ）、視聴指示を受け付けるまで待機する。制御部１１は、視聴指示を受け付けたと判断した場合（Ｓ３１：ＹＥＳ）、選択されたチャンネルに対応して番組データと共に取得するジャンル情報を取得する（Ｓ３２）。
【００７０】
制御部１１は、メモリ１８に記憶してある情報から、現時点で表示ロックが設定されているジャンルを読み出し、ステップＳ３２で取得したジャンルに表示ロックが設定されているか否かを判断する（Ｓ３３）。表示ロックが設定されていないと判断した場合（Ｓ３３：ＮＯ）、制御部１１は、ステップＳ３７へ処理を移行し、表示ロックが設定されていると判断した場合（Ｓ３３：ＹＥＳ）、図４（ｂ）に示すように、表示ロックが設定されていることにより視聴できない旨を表示する（Ｓ３４）。
【００７１】
図４（ｂ）に示すメニュー画面において、制御部１１は、「解除する」が選択されたか否かに基づいて表示ロックの解除が指示されたか否かを判断しており（Ｓ３５）、表示ロックの解除が指示されたと判断した場合（Ｓ３５：ＹＥＳ）、設定されていた表示ロックを解除し（Ｓ３６）、メモリ１８に記憶されている表示ロックの設定ジャンルから、ステップＳ３２で取得したジャンルを消去する。
【００７２】
次に、制御部１１は、利用者による操作部１５の操作により、チューナ部１３又は外部入力部２４から取得される番組データに係る放送チャンネルが選択されたか否かを判断しており（Ｓ３７）、チャンネルが選択されたと判断した場合（Ｓ３７：ＹＥＳ）、ステップＳ３２へ処理を移行し、ステップＳ３２〜Ｓ３７の処理を繰り返す。
【００７３】
また、チャンネルが選択されていないと判断した場合（Ｓ３７：ＮＯ）、制御部１１は、この時点で選択されているチャンネルの番組信号をチューナ部１３によって取得し、取得した番組信号を出力部２３から表示機器７０へ出力して表示機器７０に表示させる（Ｓ３８）。なお、表示機器７０によって表示される番組信号のチャンネルが変更される都度、上述したように、選択されたチャンネルから取得する番組データのジャンルが表示ロックされているか否かの判断を行ない、表示ロックされている場合には視聴できない旨を通知する。
【００７４】
一方、ステップＳ３５において、表示ロックの解除が指示されていないと判断した場合（Ｓ３５：ＮＯ）、即ち、利用者により「解除しない」が選択された場合、制御部１１は、この時点で選択され、表示ロックが設定されているチャンネルの番組信号を選択するようにチューナ部１３に指示すると共に、選択部１４に対してチューナ部１３から入力された番組信号を選択するように指示し、入力された番組信号を番組データに符号化処理して記憶部２２に順次記憶させる（Ｓ３９）。
【００７５】
また、制御部１１は、日時管理部１７が示す現在日時に基づいて所定時間が経過したか否かを判断しており（Ｓ４０）、所定時間が経過していないと判断した場合（Ｓ４０：ＮＯ）、所定時間が経過するまで処理をステップＳ３９に戻して番組データの記憶を続行する。制御部１１は、所定時間が経過したと判断した場合（Ｓ４０：ＹＥＳ）、記憶処理部２０による番組データの記憶を終了し（Ｓ４１）、終了させた記憶処理についての記憶情報を記憶管理データベース２２ａに登録する（Ｓ４２）。
【００７６】
このように、表示ロックが設定されており視聴が禁止されている番組の視聴を要求した場合、視聴できない旨を通知すると共に、設定されている表示ロックを解除するか否かの選択を指示する。また、表示ロックの設定の解除指示が入力された場合には視聴の禁止を解除し、表示ロックの設定の解除指示が入力されない場合には視聴できない番組データを記憶部２２に記憶させておくことにより、視聴を要求した時点では視聴できなかった番組データを後に視聴することができる。
【００７７】
上述したように、本実施形態では、表示ロックの設定が解除されなかった場合、利用者により選択されたチャンネルに対応する番組データを所定時間の間記憶部２２に記憶させる構成を例として説明したが、例えば、表示ロックが設定されていることにより記憶部２２への記憶処理が開始された番組の放送が終了した場合に記憶部２２への記憶処理を終了させることもできる。また、番組データを記憶させる記憶媒体を複数備えた記憶再生装置を用いる場合には、利用者が視聴したいチャンネルを変えることにより別のチャンネルにおいても表示ロックが設定されているジャンルの番組が放送されている場合、それぞれ選択されたチャンネルに対応して放送される番組を各別の記憶媒体へ記憶処理することもできる。
【００７８】
上述した実施形態のＨＤレコーダ１０は、予約管理データベース１９ａを記憶する予約管理部１９を備えているが、予約管理データベース１９ａを記憶部２２に蓄積する構成とすることもできる。また、上述した実施形態では、記憶媒体としてＨＤＤを内蔵したＨＤレコーダ１０を例として説明したが、ＶＣＲ、ＤＶＤレコーダ等を備える構成でもよく、例えばＤＶＤマルチドライブなどの記録装置を、ＨＤレコーダ１０に内蔵したり、ＨＤレコーダ１０に接続したりしてもよい。このようにすれば、記憶部２２に記憶したＭＰＥＧ形式の番組データを読出し、光ディスクに記憶することができるため、記憶部２２の記憶容量が少なくなった場合に有用である。
【００７９】
また、上述した実施形態では、記憶部２２に記憶された番組データのジャンルに対応して表示ロックされるように設定されているジャンルについて、記憶部２２に記憶された番組データの再生処理が終了した場合に、表示ロックの解除を行なうように構成してあるが、記憶部２２に記憶された番組データの再生処理が開始された時点で、表示ロックを解除してもよい。
【００８０】
更に、利用者が操作部１５を操作することによって所定のジャンルの番組データの取得を禁止する禁止指示を入力した場合に、制御部１１は前記禁止指示を受け付ける受付手段として動作し、受け付けた禁止指示に従って対応するジャンルの番組データの取得を禁止するように構成することができる。また同様にして、取得を禁止されているジャンルの番組データの取得禁止の解除指示を利用者が入力した場合に、制御部１１は前記解除指示を受け付ける受付手段として動作し、受け付けた解除指示に従って対応するジャンルの番組データの取得禁止を解除するように構成することができる。この場合には、利用者が所望するジャンルの番組データの取得を禁止すると共に、取得を禁止する必要がない番組データの取得禁止を適宜解除することができる。
【００８１】
一方、上述した実施形態では、利用者により入力された予約情報に基づいて記憶処理部２０が記憶部２２に番組データを記憶した場合に、対応するジャンルの番組データの表示ロックを設定する構成について説明したが、利用者により記憶処理が予約された時点から対応するジャンルの番組データの表示ロックを設定するようにしてもよい。例えば、ＥＰＧ（Electric Program Guide）と呼ばれる電子番組表を利用して記憶処理の予約を行なう場合、ＨＤレコーダ１０の利用者は、アンテナ５０を介して図８に示すような電子番組表をチューナ部１３で受信し、表示機器７０に表示させる。
【００８２】
この電子番組表は、設定された日付及び時間帯に対応する番組表を表示しており、利用者は、操作部１５の十字キー及び決定キーを用いて所望の番組欄を選択する。図８においては、６月１日火曜日の２１：００〜２２：００に３チャンネルで放送される「ドラマＡＡ」が選択されており、利用者が決定キーを操作した場合、ＨＤレコーダ１０の制御部１１は、図９に示す予約管理データベースを予約管理部１９に登録する。この場合の予約管理データベースには、予約された記憶処理毎に、予約を識別するための予約番号、記憶が予約された番組データのジャンル、放送チャネル、記憶開始日時、記憶終了日時等を含む予約情報が登録される。
【００８３】
従って、制御部１１は、電子番組表を利用して記憶処理が予約された場合に、予約された記憶処理に係る番組データのジャンルを把握することができ、このジャンルに対応して表示ロックを設定するようにメモリ１８に記憶されているジャンルの番組データに表示ロックを設定し、表示ロックが設定されたジャンルの番組データをチューナ部１３又は外部チューナ６０から取得することを禁止することができる。なお、このように記憶処理が予約された時点で表示ロックを設定する場合であっても、対応するジャンルの番組データの記憶部２２からの再生処理を行なった場合、又は図４（ｂ）に示す通知画面において表示ロックの解除が指示された場合に、表示ロックを解除することができる。
【図面の簡単な説明】
【００８４】
【図１】本発明に係るハードディスクレコーダの構成例を示すブロック図である。
【図２】（ａ）は予約管理データベースの登録内容の例を示す模式図、（ｂ）は記憶管理データベースの登録内容の例を示す模式図である。
【図３】（ａ）は表示ロック設定画面の構成例を示す模式図、（ｂ）は表示ロックの設定内容を示す模式図である。
【図４】（ａ）録画リストの構成例を示す模式図、（ｂ）通知画面の構成例を示す模式図である。
【図５】本発明に係るＨＤレコーダによる番組データの記憶処理の手順を示すフローチャートである。
【図６】本発明に係るＨＤレコーダによる番組データの再生処理の手順を示すフローチャートである。
【図７】本発明に係るＨＤレコーダによる放送番組の視聴処理の手順を示すフローチャートである。
【図８】電子番組表の構成例を示す模式図である。
【図９】予約管理データベースの登録内容の例を示す模式図である。
【符号の説明】
【００８５】
１０  ＨＤレコーダ（番組処理装置）
１１  制御部（予約受付手段、再生検知手段、禁止手段、取得指示受付手段、解除手段）
１３  チューナ部（取得手段）
２０  記憶処理部（記憶処理手段）
２１  再生処理部（再生手段）
２２  記憶部（記憶媒体）
２４  外部入力部（取得手段）
【図１】
2006013724.tif 000003
【図２】
2006013724.tif 000004
【図３】
2006013724.tif 000005
【図４】
2006013724.tif 000006
【図５】
2006013724.tif 000007
【図６】
2006013724.tif 000008
【図７】
2006013724.tif 000009
【図８】
2006013724.tif 000010
【図９】
2006013724.tif 000011